(57)【要約】【課題】ネギの栽培における作業の手間やスペースの確保が困難であることを解消する。【解決手段】  本発明のネギの栽培用具は、筒状体の内部に土壌から上方に伸びるネギを収容して配置されるネギ囲い部材と、長さ方向の一端が土面上に位置し、他端が土中に位置するよう上記ネギ囲い部材の周囲に配置された複数の気体管路と、を備え、上記ネギ囲い部材は、ネギの周囲を囲う筒状体の内部に、土を充填可能な強度に形成されており、上記気体管路は、土中に位置する他端側の側壁に、一端側から流入してきた気体を管路外に排出可能な排出孔を有する、という構成をとる。【選択図】図２
2016082936.tif 000002
【特許請求の範囲】
【請求項１】
筒状体で構成され、当該筒状体の内部に土壌から上方に伸びるネギを収容することにより当該ネギの周囲を囲って配置されるネギ囲い部材と、
長さ方向に気体が流通する管路であり、長さ方向の一端が土面上に位置し、長さ方向の他端が土中に位置するよう、ネギの周囲に配置された複数の気体管路と、を備え、
前記ネギ囲い部材は、ネギの周囲を囲う筒状体の内部に、土を充填可能な強度に形成されており、
前記気体管路は、土中に位置する他端側の側壁に、一端側から流入してきた気体を管路外に排出可能な排出孔を有する、
ネギの栽培用具。
【請求項２】
請求項１に記載のネギの栽培用具であって、
前記ネギ囲い部材は、長さ方向に延設可能なよう構成されている、
ネギの栽培用具。
【請求項３】
請求項２に記載のネギの栽培用具であって、
前記ネギ囲い部材は、複数の筒状体で構成されており、ネギの周囲を囲って既に配置されている所定の筒状体よりも、少なくとも一部が上方に位置した状態でネギの周囲を囲うように他の筒状体をさらに配置可能に構成されている、
ネギの栽培用具。
【請求項４】
請求項３に記載のネギの栽培用具であって、
前記ネギ囲い部材は、前記複数の筒状体の外形の大きさがそれぞれ異なって形成されることにより、特定の筒状体の内部に他のすべての筒状体が収容可能なよう構成されると共に、ネギの周囲を囲って既に配置されている所定の筒状体に対して他の筒状体を長さ方向にスライド可能に構成されている、
ネギの栽培用具。
【請求項５】
請求項１乃至４のいずれかに記載のネギの栽培用具であって、
前記ネギ囲い部材を構成する筒状体は、長さ方向に沿って割れるよう形成されている、
ネギの栽培用具。
【請求項６】
請求項１乃至５のいずれかに記載のネギの栽培用具であって、
前記気体管路は、前記ネギ囲い部材に固定されて取り付けられている、
ネギの栽培用具。
【請求項７】
請求項１乃至６のいずれかに記載のネギの栽培用具であって、
前記気体管路は、前記ネギ囲い部材の中心方向を向いた側壁に、前記排出孔を有する、
ネギの栽培用具。
【請求項８】
筒状体で構成されたネギ囲い部材の内部に土壌から上方に伸びるネギを収容することにより、当該ネギの周囲を囲うよう前記ネギ囲い部材を配置すると共に、
ネギの周囲に、長さ方向に気体が流通する複数の気体管路を、長さ方向の一端が土面上に位置すると共に他端が土中に位置するよう配置して、前記気体管路の土中に位置する他端側の側壁に設けられた排出孔から、一端側から流入してきた気体が管路外に排出されるようにし、
ネギの周囲を囲う前記ネギ囲い部材である筒状体の内部に土を充填する、
ネギの栽培方法。
【請求項９】
請求項８に記載のネギの栽培方法であって、
ネギの成長に応じて、前記ネギ囲い部材を上方に延設し、さらに、当該ネギ囲い部材である筒状体の内部に土を充填する、
ネギの栽培方法。
【発明の詳細な説明】
【技術分野】
【０００１】
本発明は、ネギの栽培用具及び方法にかかり、特に、根深ネギや葉ネギなど、土寄せして栽培するネギの栽培用具及び方法に関する。
【背景技術】
【０００２】
根深ネギや葉ネギなどの「ネギ」を栽培する方法として、一般的に以下の方法が用いられている。
１．種まき・育苗
まず、苗床に種をまき、発芽後に間引きを行う。その後、一定の大きさに育った苗を掘り上げて、畑に定植する。
２．植付け
畑に溝を掘り、その溝に苗を植え付ける。このとき、根が隠れる程度の土をかけ、溝の中に藁を敷く。これにより、土の中の通気性が高まる。
３．土寄せ
定植後、ネギの成長に合わせて土寄せと追肥を行う。このとき、ネギの葉の分かれている部分、つまり、葉部分と軟白部分との境界付近まで土を埋める。この土寄せは、ネギの種類や成長に応じて２〜５回程度行う。
４．収穫
ネギの成長に応じて収穫する。なお、下記の栽培方法は一例であり、他の方法で栽培されてもよい。
【先行技術文献】
【特許文献】
【０００３】
【特許文献１】特開昭５８−６０９１８
【発明の概要】
【発明が解決しようとする課題】
【０００４】
ネギの栽培には上述した工程があるが、このうち、特に「土寄せ」作業が重要となる。この「土寄せ」作業は、主に、軟白部分を成長させるために行われるものであり、ネギの葉の分かれているところ、つまり、葉部分と軟白部分との境界付近まで土を盛る必要がある。
【０００５】
ところが、ネギは高さ方向に伸びて成長するため、「土寄せ」の際にはより高く土を盛る必要がある。このため、土寄せ作業の労力が多大となる、という問題が生じる。また、盛る土の量を確保したり、土寄せのためのスペースが必要となり、栽培場所の確保も困難となる。
【０００６】
また、土の中の通気性を高めるべく、上述したように、「藁を敷く」作業を行うこととなるが、藁を入手することや、かかる作業自体が困難である、という問題が生じる。
【０００７】
ここで、ネギの栽培方法の一例として、特許文献１に開示のものがある。かかる文献では、まず、土に孔を掘り、かかる孔の内部に筒体を立てる。そして、この筒体内にネギの苗を定植し、その後、ネギが伸びたら、筒体内に土を詰める、ことを行っている。
【０００８】
しかしながら、上述した特許文献１に開示の技術では、予め深い孔を掘ってネギを定植しているため、孔が深くネギの成長が十分でない場合には、ネギの葉に日光が十分に当たらない、という問題が生じる。また、孔が浅い場合には、ネギの成長に併せて「土寄せ」作業が必要となり、上述同様に「土寄せ」の作業の労力やスペースの確保と言った問題が生じる。また、筒体内の底にネギの苗を植える作業が必要となるが、深い孔の底にネギを植えることは困難であり、作業に手間がかかる、という問題が生じる。さらには、土の中の通気性については考慮されておらず、上記同様にネギの品質が低下し得る、という問題が生じる
【０００９】
このため、本発明の目的は、上述した、土寄せ作業の手間や栽培スペースの確保が困難であるという問題や、栽培するネギの品質の低下、という問題を解決することができるネギの栽培用具及び方法を提供することにある。
【課題を解決するための手段】
【００１０】
本発明の一形態であるネギの栽培用具は、
筒状体で構成され、当該筒状体の内部に土壌から上方に伸びるネギを収容することにより当該ネギの周囲を囲って配置されるネギ囲い部材と、
長さ方向に気体が流通する管路であり、長さ方向の一端が土面上に位置し、長さ方向の他端が土中に位置するよう、ネギの周囲に配置された複数の気体管路と、を備える。
そして、前記ネギ囲い部材は、ネギの周囲を囲う筒状体の内部に、土を充填可能な強度に形成されており、
前記気体管路は、土中に位置する他端側の側壁に、一端側から流入してきた気体を管路外に排出可能な排出孔を有する、
という構成をとる。
【００１１】
また、上記ネギの栽培用具では、
前記ネギ囲い部材は、長さ方向に延設可能なよう構成されている、
という構成をとる。
【００１２】
また、上記ネギの栽培用具では、
前記ネギ囲い部材は、複数の筒状体で構成されており、ネギの周囲を囲って既に配置されている所定の筒状体よりも、少なくとも一部が上方に位置した状態でネギの周囲を囲うように他の筒状体をさらに配置可能に構成されている、
という構成をとる。
【００１３】
また、上記ネギの栽培用具では、
前記ネギ囲い部材は、前記複数の筒状体の外形の大きさがそれぞれ異なって形成されることにより、特定の筒状体の内部に他のすべての筒状体が収容可能なよう構成されると共に、ネギの周囲を囲って既に配置されている所定の筒状体に対して他の筒状体を長さ方向にスライド可能に構成されている、
という構成をとる。
【００１４】
また、上記ネギの栽培用具では、前記ネギ囲い部材を構成する筒状体は、長さ方向に沿って割れるよう形成されている、
という構成をとる。
【００１５】
また、上記ネギの栽培用具では、
前記気体管路は、前記ネギ囲い部材に固定されて取り付けられている、
という構成をとる。
【００１６】
また、上記ネギの栽培用具では、
前記気体管路は、前記ネギ囲い部材の中心方向を向いた側壁に、前記排出孔を有する、
という構成をとる。
【００１７】
また、本発明の他の形態であるネギの栽培方法は、
筒状体で構成されたネギ囲い部材の内部に土壌から上方に伸びるネギを収容することにより、当該ネギの周囲を囲うよう前記ネギ囲い部材を配置すると共に、
ネギの周囲に、長さ方向に気体が流通する複数の気体管路を、長さ方向の一端が土面上に位置すると共に他端が土中に位置するよう配置して、前記気体管路の土中に位置する他端側の側壁に設けられた排出孔から、一端側から流入してきた気体が管路外に排出されるようにし、
ネギの周囲を囲う前記ネギ囲い部材である筒状体の内部に土を充填する、
という構成をとる。
【００１８】
また、上記ネギの栽培方法では、
ネギの成長に応じて、前記ネギ囲い部材を上方に延設し、さらに、当該ネギ囲い部材である筒状体の内部に土を充填する、
という構成をとる。
【００１９】
上記構成のネギの栽培用具及びネギの栽培方法を用いることにより、以下のようにネギを栽培することができる。まず、苗や種などから土壌で栽培されたネギが所定の長さに成長すると、筒状体で構成されたネギ囲い部材の内部に、土壌から上方に伸びるネギを収容するようネギ囲い部材を配置する。つまり、筒状体でネギの周囲を囲うよう、ネギ囲い部材を配置する。
【００２０】
このとき、ネギ囲い部材が、相互にスライドする複数の筒状体で構成されるなど、上方に延設可能なよう構成されている場合には、ネギの高さに対応した高さとなるよう、ネギ囲い部材の高さを設定して配置する。例えば、ネギ囲い部材の上端の高さを、少なくともネギの葉部分と軟白部分との境界が隠れる高さに設定して配置する。
【００２１】
また、ネギ囲い部材の配置と共に、ネギの周囲に、長さ方向に気体が流通する複数の気体管路を配置する。この気体管路は、長さ方向の一端が土面上に位置し、長さ方向の他端が土中に位置するよう配置される。このとき、気体管路の土中に位置する他端側の壁面には排出孔が形成されており、一端側から流入してきた気体が排出孔から土中に排出される。これにより、土中の通気性を高めることができる。特に、排出孔を、ネギ囲い部材の中心方向を向いた気体管路の側壁に設けることで、ネギの根元近辺の通気性をより高めることができる。その結果、ネギの成長がよくなり、品質向上を図ることができる。なお、他端側が土中に挿入された気体管路がネギ囲い部材に固定されて取り付けられていることで、当該ネギ囲い部材の転倒を抑制することができる。
【００２２】
そしてさらに、配置したネギ囲い部材の内部に土を充填する。例えば、ネギの葉部分と軟白部分との境界付近まで、土を充填する。これにより、ネギの軟白部分を効果的に成長させることができる。その結果、「土寄せ」作業を行うことなく、労力を軽減したり、少量の土や小スペースで、高品質なネギを栽培することができる。
【００２３】
その後は、ネギの成長に合わせて、ネギ囲い部材を上方に延設して、当該ネギ囲い部材の高さの伸長と、ネギ囲い部材の内部への土の充填を繰り返す。つまり、ネギの葉部分と軟白部分との境界が土面よりも上方に伸びると、ネギ囲い部材の高さを、少なくともネギの葉部分と軟白部分との境界が隠れる高さに伸長させる。そして、伸長させたネギ囲い部材の内部に、ネギの葉部分と軟白部分との境界付近まで土を充填する。
【００２４】
そして、所望の長さにネギが成長した後には、ネギ囲い部材及び気体管路を取り外す。これにより、ネギ囲い部材内部に充填した土が崩れ、簡単にネギを収穫することができる。なお、ネギ囲い部材を取り外す際には、当該ネギ囲い部材を構成する筒状体を長さ方向に沿って割って取り外してもよい。これにより、ネギの成長に伴い軟白部分の太さが増大することによってネギ囲い部材内で土が圧迫されている場合であっても、容易にネギ囲い部材を取り外すことができる。
【発明の効果】
【００２５】
上記構成のネギの栽培用具及び栽培方法によると、容易に高品質なネギを栽培することができる。
【図面の簡単な説明】
【００２６】
【図１】本発明であるネギの栽培用具の構成を示す図である。
【図２】本発明であるネギの栽培用具の構成を示す図である。
【図３】本発明であるネギの栽培用具を用いてネギを栽培するときの様子を示す図である。
【図４】本発明であるネギの栽培用具を用いてネギを栽培するときの様子を示す図である。
【図５】本発明であるネギの栽培用具を用いてネギを栽培するときの様子を示す図である。
【図６】本発明であるネギの栽培用具を用いてネギを栽培するときの様子を示す図である。
【図７】本発明であるネギの栽培用具を用いてネギを栽培するときの様子を示す図である。
【図８】本発明であるネギの栽培用具を用いてネギを栽培するときの様子を示す図である。
【図９】本発明であるネギの栽培用具の構成の変形例を示す図である。
【発明を実施するための形態】
【００２７】
＜実施形態１＞
本発明の第１の実施形態を、図１乃至図９を参照して説明する。図１乃至図２は、ネギの栽培用具の構成を示す図である。図３乃至図８は、ネギの栽培用具を用いてネギを栽培するときの様子を示す図である。図９は、ネギの栽培用具の構成の変形例を示す図である。
【００２８】
ここで、本発明であるネギの栽培用具は、根深ネギや葉ネギなど、土寄せして栽培するネギに用いるものであるが、その他のネギの栽培に用いてもよい。なお、本実施形態では、いわゆる長ネギ、白ネギといった根深ネギの栽培に用いる場合を例に挙げて説明する。
【００２９】
［構成］
図１及び図２に示すように、本実施形態におけるネギの栽培用具は、側壁が所定の厚みを有する３つの円筒部材１１，１２，１３（筒状体）にて構成されるネギ囲い部材１０と、３本の気体管路２０と、を備えて構成されている。なお、ネギ囲い部材１０を構成する円筒部材１１，１２，１３の径は、例えば、栽培するネギの径よりも大きく形成されている。また、気体管路２０の径は、円筒部材１１，１２，１３の径よりもはるかに小さく形成されている。
【００３０】
上記ネギ囲い部材１０は、最外周に位置する第一円筒部材１１と、その内側に位置する第二円筒部材１２と、最内周に位置する第三円筒部材１３と、を備えて構成されている。各円筒部材１１，１２，１３の長さ（高さ）は、同一であってもよく、それぞれが異なっていてもよい。また、各円筒部材１１，１２，１３の径（外形）は、それぞれ内側に位置するほど小さくなるよう形成されており、これにより、最大径（最大の外形）の第一円筒部材１１の内部に、他の全ての円筒部材１２，１３が収容可能なよう形成されている。具体的には、第一円筒部材１１の内側に第二円筒部材１２が収容され、第二円筒部材１２の内側に第三円筒部材１３が収容される。
【００３１】
このとき、相互に隣接する円筒部材間は、密接あるいは近接するよう形成されている。つまり、相互に隣接する円筒部材のうち、外側に位置する円筒部材の内径と、内側に位置する円筒部材の外径とが、ほぼ同一であるか、内側に位置するものの方がやや小さい程度に形成されている。
【００３２】
以上のように構成されるネギ囲い部材１０は、相互に隣接する円筒部材のうち、外側のものに対して内側のものを長さ方向（高さ方向）にスライドさせることで、ネギ囲い部材１０自体を上方に延設でき、その長さ（高さ）を伸長させることができる。例えば、図２に示すように、第一円筒部材１１に対して第二円筒部材１２を矢印Ｙ１方向に沿ってスライドさせたり、第二円筒部材１２に対して第三円筒部材１３を矢印Ｙ２方向にスライドさせることで、ネギ囲い部材１０自体の長さを伸長させることができる。このとき、相互に隣接する円筒部材間には、相互に接触していることで摩擦力が生じたり、突起などの係止部材が設けられている。このため、スライドされた円筒部材同士の位置は、摩擦や係止部材により、スライドされた位置にとどまるよう係止される。
【００３３】
ここで、ネギ囲い部材１０を構成する各円筒部材１１，１２，１３は、例えば、プラスチック製であり、内部に土を充填可能な強度を有する。つまり、ネギ囲い部材１０は、内部に土を充填しても、当該充填した土の圧力（重み）等によってネギ囲い部材１０自体が破壊されない強度を有する。
【００３４】
なお、上述したネギ囲い部材１０は一例であって、本発明におけるネギ囲い部材１０の形状や構造は、上述した内容に限定されない。例えば、ネギ囲い部材１０の各円筒部材１１，１２，１３の数は３つであることに限定されず、２つあるいは４つ以上であってもよい。また、ネギ囲い部材１０を上方に延設可能とする構造は、他の構造により実現してもよい。例えば、ネギ囲い部材１０を蛇腹構造としてもよい。あるいは、ネギ囲い部材１０を、相互に分離された複数の円筒部材（筒状体）で構成し、既に配置された所定の円筒部材（筒状体）に対して、上方から他の円筒部材（筒状体）を新たに追加して配置するよう構成してもよい。つまり、はじめは１つの円筒部材（筒状体）を配置し、その後、ネギの成長にあわせて円筒部材（筒状体）を追加して配置する、という構成にしてもよい。
【００３５】
また、ネギ囲い部材１０を、図２の順番とは異なり、内側の円筒部材に対して外側の円筒部材を上方にスライドさせて、上方に延設可能な構成としてもよい。さらには、各円筒部材１１，１２，１３は、円筒形状で有ることに限定されず、その他の外形であってもよい。例えば、端面が四角形状の筒状体で形成されてもよく、他の形状の筒状体で形成されていてもよい。
【００３６】
また、本発明におけるネギの栽培用具は、最外周に位置する第一円筒部材１１の外面に、長さ方向に気体が流通する管路からなる気体管路２０が、ほぼ等間隔で３本取り付けられている。気体管路２０は、長さ方向の一端２１側が第一円筒部材１１に固着され、長さ方向の他端２３側は第一円筒部材１１の下端よりもさらに下方側に突出して配置されている。そして、各気体管路２０の他端２３側の側壁には、当該気体管路２０の内部に通ずる排出孔２２が複数形成されている。本実施形態では、特に、気体管路２０が取り付けられた第一円筒部材１１の内部側に位置する側壁に、排出孔２２が形成されている。
【００３７】
上述した構成により、ネギの栽培用具は、土壌から伸びるネギを内部に収容させてネギ囲い部材１０を土面上に配置した際に、気体管路２０の他端２３側の部分が土中に位置することとなる。すると、気体管路２０の他端２３側に位置する排出孔２２からは、土面上に位置する当該気体管路２０の一端２１側から流入してきた空気（気体）が、土中に排出可能となる。
【００３８】
なお、上述した気体管路２０が取り付けられる本数は、３本に限定されない。また、その配置も、上述した配置に限定されず、第一円筒部材１１に取り付けられていなくてもよい。例えば、気体管路２０は、ネギ囲い部材１０とは独立した部品であってもよい。あるいは、気体管路２０は、最内周に位置する第三円筒部材１３の内側に取り付けられており、その場合には、図２で示した例とは逆に、第三円筒部材１３に対して第二円筒部材１２及び第一円筒部材１１が上方にスライドされて、ネギ囲い部材１０の高さが延設させることとなる。
【００３９】
［栽培方法］
次に、上述したネギの栽培用具を用いたネギの栽培方法の一例を、図３乃至図８を参照して説明する。まず、図３（ａ）に示すように、土壌Ｇにネギ１の苗を定植する。このとき、ネギ１の葉部分２と軟白部分３との境界付近に、土壌Ｇの土面が位置するよう定植する。なお、ネギ１は、土壌に直接蒔いた種から栽培してもよい。
【００４０】
図３（ａ）に示す状態でネギ１の栽培を続けると、図３（ｂ）に示すように、ネギ１の葉部分２と軟白部分３との境界が、土面のさらに上方に位置するまで成長する。そして、ネギ１が所定の長さ、例えば、ネギ１の葉部分２と軟白部分３との境界部分の土面上からの高さが第一円筒部材１１の高さを超えない程度まで成長すると、図４（ａ）に示すように、当該ネギ１に対してネギ囲い部材１０をかぶせる。つまり、筒状体で構成されたネギ囲い部材１０の内部にネギ１を収容して、当該筒状体でネギ１の周囲を囲うよう、ネギ囲い部材１０を配置する。このとき、ネギ囲い部材１０は伸長させず、第一円筒部材１１に第二円筒部材１２及び第三円筒部材１３が収容された状態であり、第一円筒部材１１の高さで形成されている。このため、ネギ１の葉部分２と軟白部分３との境界部分が、ネギ囲い部材１０の内部に位置して隠された状態となる。
【００４１】
また、上述したようにネギ囲い部材１０を土面上に配置するに伴い、図４（ａ）に示すように、気体管路２０を、その他端２３側である下端側が土中に位置するよう配置する。これにより、気体管路２０の下端側の壁面に形成された排出孔２２が土中に位置することとなり、土面上に露出した気体管路２０の一端（上端）から当該気体管路２０内に流入した気体（空気）が、土中に排出されることとなる。特に、排出孔２２は、ネギ囲い部材２０の内部側に位置する側壁に形成されているため、ネギ１の根４の近辺の通気性を高めることができる。その結果、ネギの成長がよくなり、品質向上を図ることができる。
【００４２】
その後、図４（ｂ）に示すように、第一円筒部材１１の高さに設定して配置したネギ囲い部材１０の内部に、土を充填する。このとき、図４（ｂ）の符号Ｇ１に示すように、ネギ１の葉部分２と軟白部分３との境界付近まで、土を充填する。これにより、ネギ１の軟白部分３を成長させることができる。その結果、「土寄せ」作業を行うことなく、労力を軽減して、少量の土や小スペースで、高品質なネギを栽培することができる。
【００４３】
その後、図５（ａ）に示すようにネギ１が成長し、ネギ１の葉部分２と軟白部分３との境界部分が、充填した土面Ｇ１よりも上方に位置することとなると、図５（ｂ）に示すように、ネギ囲い部材１０の高さを伸長させる。具体的に、第一円筒部材１１に対して第二円筒部材１２（第三円筒部材１３も一緒に）を上方にスライドさせることで、ネギ囲い部材１０の高さを伸長させる。このとき、第二円等部材１２の少なくとも上端（一部）が第一円筒部材１１よりも上方に位置した状態にすると共に、ネギ１の葉部分２と軟白部分３との境界部分が、第二円筒部分１２から上方に突出せず、当該第二円筒部分１２内に位置するよう、ネギ囲い部材１０の高さを設定する。
【００４４】
そして、第二円筒部材１２の上端が位置する高さに設定したネギ囲い部材１０の内部に、土を充填する。このとき、図６（ａ）の符号Ｇ２に示すように、ネギ１の葉部分２と軟白部分３との境界付近まで、土を充填する。これにより、ネギ１の軟白部分３をさらに成長させることができる。
【００４５】
その後、図６（ｂ）に示すように、さらにネギ１が成長し、ネギ１の葉部分２と軟白部分３との境界部分が、上述したように充填した土面Ｇ２よりも上方に位置することとなると、図７（ａ）に示すように、ネギ囲い部材１０の高さをさらに伸長させる。具体的に、第二円筒部材１２に対して第三円筒部材１３を上方にスライドさせることで、ネギ囲い部材１０の高さを伸長させる。このとき、ネギ１の葉部分２と軟白部分３との境界部分が、第三円筒部分１３から上方に突出せず、当該第三円筒部分１３内に位置するよう、ネギ囲い部材１０の高さを設定する。
【００４６】
そして、第三円筒部材１３の上端が位置する高さに設定したネギ囲い部材１０の内部に、土を充填する。このとき、図７（ｂ）の符号Ｇ３に示すように、ネギ１の葉部分２と軟白部分３との境界付近まで、土を充填する。これにより、ネギ１の軟白部分３をさらに成長させることができる。
【００４７】
このように、本願発明におけるネギの栽培方法では、ネギ１の成長に合わせて、ネギ囲い部材１０の高さの伸長と、ネギ囲い部材１０内部への土の充填を繰り返すことにより、収穫可能な長さまでネギ１を成長させる。具体的には、ネギ１の葉部分２と軟白部分３との境界が土面に対して上方に伸びると、ネギ囲い部材１０の高さを、少なくともネギ１の葉部分２と軟白部分３との境界が隠れる高さに伸長させる。そして、伸長させたネギ囲い部材１０の内部に、ネギ１の葉部分２と軟白部分３との境界付近まで土を充填する。
【００４８】
そして、図８（ａ）に示すように、所望の長さ、つまり、収穫する長さにネギ１が成長した際は、ネギ囲い部材１０及び気体管路２０を土壌Ｇから取り外す。これにより、図８（ｂ）に示すように、ネギ囲い部材１０の内部に充填した土が崩れ（符号Ｇ４参照）、容易にネギ１を収穫することができる。
【００４９】
以上のように、本願発明におけるネギの栽培用具やネギの栽培方法を用いることで、「土寄せ」作業を行うことなく、簡易な作業や少量の土、そして、小スペースで、ネギ１の葉部分２と軟白部分３との境界付近まで土を充填することができ、高品質なネギを栽培することができる。その結果、容易にネギを栽培でき、プランターなどあらゆる場所でもネギを栽培することができる。さらに、気体管路２０を設けることで、ネギ１の根４の近辺の通気性を高めることができ、ネギの成長がよくなる。その結果、上述したような「藁を敷く」といった作業やスペースが不要となり、容易かつ小スペースな場所でも高品質なネギを栽培することができる。なお、ネギ囲い部材１０が気体管路２０により支持されているため、当該ネギ囲い部材１０の転倒を抑制することができる。
【００５０】
［変形例］
ここで、上述したネギ囲い部材１０の変形例を、図９を参照して説明する。変形例におけるネギ囲い部材１０は、図９（ａ）に示すように、筒状体となる一枚の板状部材１００と、この板状部材１００を筒状体の形状に係止する係止部材２００と、を備えて構成されている。
【００５１】
まず、板状部材１００は、樹脂などで形成されているが、丸められるよう柔軟性を有していればいかなる材料であってもよい。そして、板状部材１００は、丸められて、その両端１０１，１０２が繋がることで円筒形状に形成されるが、その一端１０１及び他端２０２は、円筒形状となったときの長さ方向に沿って一様に折り曲げられて形成されている。例えば、一端１０１及び他端１０２は、板状部材１００本体に対してほぼ直角に折り曲げられている。これにより、図９（ｂ）に示すように、板状部材１００が丸められて円筒形状となったときに、当該板状部材１００の一端１０１と他端１０２との折り曲げ箇所が重なる状態となる。
【００５２】
また、係止部材２００は、図９（ａ）に示すように、略Ｕ字状に形成されており、板状部材１００が丸められて筒状形状となったときの長さと同一の長さを有している。そして、係止部材２００のＵ字状箇所の内部に、板状部材１００の両端１０１，１０２を収容することで、当該両端１０１，１０２を挟むことができる。具体的には、図９（ｂ）に示すように、板状部材１００を丸めて円筒形状としてその両端１０１，１０２の折り曲げ箇所を重ね合わせた状態で、当該両端１０１，１０２を係止部材２００で挟む。このようにすることで、係止部材２００で、板状部材１００が円筒形状を保つよう係止することができる。
【００５３】
上述したようにネギ囲い部材の筒状体を構成することで、当該筒状体は長さ方向に沿って割れるよう形成されていることとなる。このため、ネギ１を収穫するためにネギ囲い部材１０を取り外す際には、上記係止部材２００を抜き取ることで、ネギ囲い部材１０を構成する筒状体が長さ方向に沿って割られた状態となり、当該ネギ囲い部材１０を容易に取り外すことができる。特に、ネギ１の成長に伴い軟白部分３の太さが増大することによってネギ囲い部材１０内に充填した土が圧迫されている場合であっても、容易にネギ囲い部材１０を取り外すことができる。
【００５４】
なお、図９を参照して説明した板状部材１００と係止部材２００とにより構成される筒状体は、１つのみでネギ囲い部材１０を構成してもよく、複数を用いてネギ囲い部材１０を構成してもよい。例えば、図１及び図２で開示した複数の筒状体からなるネギ囲い部材１０においては、全てを図９に開示した筒状体で構成してもよく、そのうち少なくとも１つ（例えば、第二筒円筒部材１２、第三円筒部材の２つ）を図９で開示した筒状体で構成してもよい。
【００５５】
また、図９で開示した筒状体は、必ずしもかかる構造あるいは形状であることに限定されない。例えば、筒状体は円筒形状であることに限定されない。そして、係止部材２００は必ずしも上述した構造であることに限定されず、他の構造により実現されてもよい。例えば、図９において、板状部材１００の一端１０１と他端１０２とが相互に反対方向に折り曲げられることで、当該一端１０１と他端１０２との折り曲げ箇所を相互に引っ掛ける構造として、両端を連結可能としてもよい。
【００５６】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５７】
１  ネギ
２  葉部分
３  軟白部分
４  根部分
１０  ネギ囲い部材
１１  第一円筒部材
１２  第二円筒部材
１３  第三円筒部材
２０  気体管路
２１  上端
２２  排気孔
２３  下端
１００  板状部材
２００  係止部材
【図１】
2016082936.tif 000003
【図２】
2016082936.tif 000004
【図３】
2016082936.tif 000005
【図４】
2016082936.tif 000006
【図５】
2016082936.tif 000007
【図６】
2016082936.tif 000008
【図７】
2016082936.tif 000009
【図８】
2016082936.tif 000010
【図９】
2016082936.tif 000011